(57)【要約】【構成】文書管理装置で使用したファイル名やコメントなどを記憶し、先頭１文字などの短縮語で検索して、リストを表示する。このリストからユーザーがファイル名やコメントなどを選択し、追加・編集を加えて、スキャン文書のファイル名やコメントとする。【効果】簡単にファイル名やコメントを作成できる。【選択図】    図１
2004192499.tif 000002
【特許請求の範囲】
【請求項１】
新規に作成したデータにファイル名を付与し保存するに際して、
文書管理装置が保存中のファイルのファイル名をユーザーが参照して、ユーザーが選択あるいは編集自在にするための手段と、ユーザーが選択あるいは編集したファイル名をデータに付与して保存するための手段、とを設けたことを特徴とする、文書管理装置。
【請求項２】
前記参照時に、ユーザーの入力した短縮語でファイル名を検索するための手段を設けて、該短縮語を含むファイル名をユーザーが参照できるようにしたことを特徴とする、請求項１の文書管理装置。
【請求項３】
保存中のファイルと同じファイル名で保存する際には、保存中のファイルと区別するための識別子を、ファイル名の末尾に付与するための手段を設けたことを特徴とする、請求項１または２の文書管理装置。
【請求項４】
保存中のファイルのファイル名のリストをユーザーに参照させるようにしたことを特徴とする、請求項１の文書管理装置。
【請求項５】
前記リストから選択されたファイル名をユーザーが編集して新たなファイル名を作成できるようにしたことを特徴とする、請求項４の文書管理装置。
【請求項６】
ファイルの保存時に、次回以降のファイル名作成用に、該ファイル名を参照するかどうかを選択自在にしたことを特徴とする、請求項１の文書管理装置。
【請求項７】
保存中のファイルのファイル名と同じファイル名を付与する場合に、上書きかデータの追加かを選択し得るようにしたことを特徴とする、請求項１の文書管理装置。
【請求項８】
上書き時には、保存中の古いファイルを、外部の記憶装置へ転送あるいはアーカイブに保存するようにしたことを特徴とする、請求項７の文書管理装置。
【請求項９】
上書き時には、ファイル名に版数を付加するようにしたことを特徴とする、請求項７の文書管理装置。
【請求項１０】
データの追加時には、保存中のファイルへのデータの追加位置を選択自在にしたことを特徴とする、請求項７の文書管理装置。
【請求項１１】
新規に作成したデータに、ファイル名を付与して保存するに際して、
文書管理装置で過去に使用されたファイル名を記憶し、ユーザーが参照できるようにするための手段と、
参照したファイル名から、ユーザーが選択あるいは編集したファイル名をデータに付与して保存するための手段、とを設けたことを特徴とする、文書管理装置。
【請求項１２】
ユーザーの入力した検索用の短縮語でファイル名を検索するための手段を設けたことを特徴とする、請求項１１の文書管理装置。
【請求項１３】
使用中のファイル名と既に使用されていないファイル名とを、色あるいはフォントを変えて出力するようにしたことを特徴とする、請求項１１の文書管理装置。
【請求項１４】
新規に作成したデータに、ファイル名を付与し保存するに際して、
外部装置から登録されたファイル名を記憶して、ユーザーが選択できるようにするための手段と、ユーザーが選択したファイル名をデータに付与して保存するための手段とを設けたことを特徴とする、文書管理装置。
【請求項１５】
ファイルの上書き履歴をログファイルに記録するようにしたことを特徴とする、請求項１〜１４のいずれかの文書管理装置。
【請求項１６】
ファイル名の他にコメントを付与自在にすると共に、文書管理装置に保存したファイルのファイル名とコメントをブラウザから参照自在にしたことを特徴とする、請求項１〜１５のいずれかの文書管理装置。
【発明の詳細な説明】
【０００１】
【発明の利用分野】
この発明は文書管理装置に関し、特に管理対象文書へのファイル名などの付与に関する。
【０００２】
【従来技術】
【０００３】
【特許文献１】特開２０００−３５９０８号公報
特許文献１は、ファイル名の自動的生成について開示している。例えば、生成した文書の先頭部から「Ｂ社見積書」などのキーワードを抽出し、文書の生成日付{980310}とその日に生成した文書中での文書番号{003}や、作成者「鈴木太郎」を合成して、ファイル名「Ｂ社見積書−980310−003−鈴木太郎」を作成する。
【０００４】
このようなファイル名の生成では、テキストデータ以外のデータに対してファイル名を生成するのが難しい。またテキストデータ中のタイトルに相当する箇所を抽出するための処理が必要になる。
【０００５】
【発明の課題】
この発明の基本的課題は、作成したデータにファイル名を簡単に付与できるようにすることにある（請求項１〜１６）。
請求項２，１２の発明での追加の課題は、ファイル名の生成時に、現存や過去のファイル名を簡単に検索できるようにすることにある。
請求項３，１３の発明での追加の課題は、不用意なファイルの上書きを防止することにある。
請求項４の発明での追加の課題は、保存中のファイルのファイル名をユーザーが参照しやすくすることにある。
請求項５，６の発明での追加の課題は、ファイル名の付与をさらに簡便にすることにある。
請求項７，８，９，１５の発明での追加の課題は、ファイルの上書き管理を容易にすることにある。
請求項１０の発明での追加の課題は、既存のファイルにデータを追加する際の使い勝手を向上させることにある。
【０００６】
【発明の構成】
この発明は、新規に作成したデータにファイル名、好ましくはファイル名とコメントなどの注釈、を付与し保存するに際して、文書管理装置が保存中のファイルのファイル名をユーザーが参照して、ユーザーが選択あるいは編集自在にするための手段と、ユーザーが選択あるいは編集したファイル名をデータに付与して保存するための手段、とを設けたことを特徴とする、文書管理装置にある（請求項１）。
【０００７】
好ましくは、前記参照時に、ユーザーの入力した短縮語で、ファイル名を検索するための手段を設けて、該短縮語を含むファイル名をユーザーが参照できるようにする（請求項２）。
また好ましくは、保存中のファイルと同じファイル名で保存する際には、保存中のファイルと区別するための識別子を、ファイル名の末尾に付与するための手段を設ける（請求項３）。
また好ましくは、保存中のファイルのファイル名のリストをユーザーが参照できるようにする（請求項４）。
特に好ましくは、前記リストから選択されたファイル名をユーザーが編集して新たなファイル名を生成できるようにする（請求項５）。
好ましくは、ファイルの保存時に、付与したファイル名を次回以降のファイル名作成用に参照できるようにするかどうかを選択自在にする（請求項６）。
好ましくは、保存中のファイルのファイル名と同じファイル名を付与する場合に、上書きかデータの追加かを選択し得るようにする（請求項７）。
特に好ましくは、上書き時には、保存中の古いファイルを、外部の記憶装置へ転送あるいはアーカイブに保存するようにする（請求項８）。
好ましくは、上書き時には、ファイル名に版数を付加するようにする（請求項９）。
また好ましくは、データの追加時には、保存中のファイルへのデータの追加位置を選択自在にする（請求項１０）。
【０００８】
またこの発明は、新規に作成したデータに、ファイル名、好ましくはファイル名とコメントなどの注釈、を付与して保存するに際して、文書管理装置で過去に使用されたファイル名を記憶し、ユーザーが参照できるようにするための手段と、参照したファイル名から、ユーザーが選択あるいは編集したファイル名をデータに付与して保存するための手段、とを設けたことを特徴とする、文書管理装置にある（請求項１１）。
【０００９】
好ましくは、ファイル名をユーザーの入力した検索用の短縮語で検索する手段を設けて、この短縮語を含むファイル名を参照できるようにする（請求項１２）。
好ましくは、使用中のファイル名と既に使用されていないファイル名とを、色あるいはフォントを変えて出力する（請求項１３）。
【００１０】
この発明は、新規に作成したデータに、ファイル名、好ましくはファイル名とコメントなどの注釈、を付与し保存するに際して、外部装置から登録されたファイル名を記憶して、ユーザーが選択できるようにするための手段と、ユーザーが選択したファイル名をデータに付与して保存するための手段とを設けたことを特徴とする、文書管理装置にある（請求項１４）。
【００１１】
好ましくは、ファイルの上書き履歴をログファイルに記録する（請求項１５）。
【００１２】
また好ましくは、ファイル名の他にコメントを付与自在にすると共に、文書管理装置に保存したファイルのファイル名とコメントをブラウザから参照自在にする（請求項１６）。
【００１３】
【発明の作用と効果】
この発明では、文書管理装置で保存中のファイルのファイル名を参照して、適宜のファイル名を選択、あるいは編集することにより、ファイル名をデータに付与できる。このため既存のファイル名を元にファイル名を付与でき、ファイル名の付与が容易になる（請求項１）。
【００１４】
請求項２の発明では、「ミ」などの音１文字の短縮語や、「見」などの漢字１文字の短縮語などで、参照用のファイル名を検索できるので、特に便利である。
請求項３の発明では、保存中のファイルのファイル名をそのまま別のファイルのファイル名に用いる際に、ファイル名の末尾に{NEW}などの識別子を付与するので、誤って上書きすることがない。
請求項４の発明では、ファイル名のリストを表示するので、ファイル名の参照が容易になる。
請求項５の発明では、ファイル名を編集できるので、参照したファイル名を変更して新たなファイル名を付与できる。
請求項６の発明では、１回しか使用しないようなファイル名は、次回以降に参照されないようにして、以降のファイル名の付与を容易にする。
請求項７の発明では、上書きか追加かを選択できるので、保存中のファイルが不用意に上書きされないようにできる。
請求項８の発明では、上書きされたファイルを外部の記憶装置やアーカイブなどに保存できる。
請求項９の発明では、上書きしたファイルに対して版数の管理ができるので、上書きされたファイルであることが、ファイル名から明らかになる。
請求項１０の発明では、既存のファイルにデータを追加する際に、追加位置を指定できるので、例えば末尾に新たなデータを追加する、先頭に新たなデータを追加する、などの編集ができる。
【００１５】
請求項１１の発明では、文書管理装置で過去に使用されたファイル名を参照して、ファイル名を付与できる。このため過去に使用されたファイル名を参照して、ファイル名を付与できる。
請求項１２の発明では、短縮語でファイル名を検索できるので、ファイル名の参照が簡便になる。
請求項１３の発明では、使用中のファイル名、即ち保存中のファイルのファイル名と、既に使用していないファイルのファイル名とを、色やフォントで区別して表示するので、誤って上書きすることがない。
【００１６】
請求項１４の発明では、外部装置からファイル名を文書管理装置に登録しておき、これをユーザーが参照してファイル名を選択して付与できる。このため、ファイル名の入力インターフェースが限られている文書管理装置でも、容易にファイル名を付与できる。例えば文書のスキャン前にファイル名を登録しておき、スキャンすると登録済みのファイル名から自分が登録したファイル名を選択して、付与するなどのことができる。
【００１７】
請求項１５の発明では、上書きの履歴をログファイルに記録するので、保存中のファイルのファイル名などを参照してファイル名を付与しても、ファイルがどのように上書きされたかを管理できるので便利である。
請求項１６の発明では、ファイル名とコメントとをブラウザから参照しながら、ファイルにアクセスできるので、ファイルの内容が分かりやすく便利である。
【００１８】
【実施例】
図１〜図６に、実施例を示す。これらの図において、２は文書管理装置で、ＬＡＮ４を介して、複数のクライアント６やメールサーバ８，ルータ１０，ファイルサーバ１２等に接続されている。文書管理装置２には、スキャナ１４とプリンタ１６とがあり、Ｇ３ファクシミリ処理部１８はＧ３ファクシミリの送受信を処理し、インターネットファクシミリ処理部２０は、インターネットファクシミリの送受信を処理する。２２は文書データベースで、文書管理装置２で保存している文書を記憶するデータベースで、２４はファイル名データベースで、ファイル名とコメントとを記憶する。なおファイル名データベース２４は文書データベース２２の一部とみなすこともできる。また２６はログファイルで、文書管理装置２が保存している文書の上書きの履歴などを記録する。
【００１９】
２８はＨＴＴＰサーバで、３０は電子掲示板処理部、３２はワークフロー処理部、３４は電子回覧処理部である。３６はネーミング処理部で、新たに作成するファイル、例えばスキャナ１４で読み取った画像データなどに対して、ファイル名とコメントの付与を行う。３８は検索処理部で、ファイル名データベース２４のファイル名やコメントを検索する。
【００２０】
４０はバージョン管理部で、文書データベース２２中のファイルを上書きする際に、バージョン（版数）に関する管理を行う。また上書き以外のモードで、保存中のファイル名をそのまま新たなファイルに付与しようとする場合に、ファイル名の末尾に識別子を付与する。さらに上書きではなく追加が選択された場合、新しいデータの追加位置に関する処理を行う。４２は操作パネルで、液晶ディスプレイとタッチパネルやキーボードなどを備えている。操作パネル４２から、検索処理部３８とファイル名データベース２４とを用いて、記憶済みのファイル名のリストを表示させ、表示されたファイル名を参照して、ファイル名の修正などの編集作業を行う。そして参照したファイル名やこれを編集したファイル名を用いて、データを保存する。またファイル名を参照すると、参照したファイルへのコメントも参照できるので、コメントをそのままあるいは適宜に編集して、保存するデータに付与する。ファイル名やコメント、（これらを合わせて注釈と呼ぶ）は、例えばスキャナ１４でスキャンした掲示板文書などに対して付与する。
【００２１】
図２に、ファイル名データベース２４の構成を示す。現用名リスト４４は、文書管理装置２で現に保存している文書の、ファイル名とコメントとのリストを記憶する。過去名リスト４５には、過去に文書管理装置２で保存され、現在は保存されていないファイルのファイル名（名称）とコメントとを記憶する。登録名リスト４６には、クライアント６側のブラウザと、ＨＴＴＰサーバ２８とを介して、文書管理装置２に登録されたファイル名とコメントとを記憶する。なおこれらのリスト４４〜４６を、全て設ける必要はない。また現用名リスト４４は、文書データベース２２中のファイルアロケータなどを用いても構成できる。
【００２２】
文書管理装置２でファイルが生成されると、現用名リスト４４にファイル名が記憶され、コメントが付加されている場合には、ファイル名とコメントとが記憶される。現用名リスト４４には、これ以外にファイル名の参照の可否などが記憶され、参照が「否」の場合、リスト４４を操作パネルやブラウザから参照した場合に、そのファイル名とコメントとが表示されない。過去名リスト４５には、ファイルが抹消された際に、そのファイルのファイル名とコメントとが、現用名リスト４４から転記される。
【００２３】
登録名リスト４６には、ブラウザなどを介してクライアントなどから登録されたファイル名とコメントとが記憶される。登録名リスト４６のファイル名は、文書管理装置２で今後使用する可能性のあるファイル名を、事前に登録して記憶したものである。例えば掲示板文書をスキャナで読み込む前に、登録名リスト４６にブラウザなどからファイル名やコメントを登録しておき、文書をスキャンすると、登録名リスト４６からファイル名を選択して、ファイル名とコメントとをスキャンした文書に付与すると便利である。また現用名リスト４４や過去名リスト４５を設けずに登録名リスト４６のみを設けることも可能である。その場合、ファイルを作成しファイル名を付与する毎に、原則として、ファイル名やコメントを登録名リストに登録する。このようにすると、登録名リストが長くなりすぎるおそれがあるので、好ましくはファイル名やコメントなどを登録名リスト４６に記憶するかどうかを、操作パネルやブラウザなどから選択できるようにする。
【００２４】
図３に、リスト４４〜４６の使い方の例を示す。例えば「社内報」などのよく使われるファイル名は、現用名リスト４４や過去名リスト４５などに登録されているはずである。これらのリスト４４，４５を設けない場合、登録名リスト４６によく使うファイル名を登録しておくと便利である。そして検索処理部３８から社内報の先頭１音の「シャ」が入力されると、「シャ」から始まるファイル名、もしくは「シャ」を含むファイル名などがリスト４４〜４６から検索され、操作パネル４２やブラウザなどに表示される。検索では、例えば検索対象のリストを選択して検索することも、あるいはリストを限定せずに検索することもできる。図３の場合、例えば、ファイル名「社内報」などが表示される。このようにして参照されたファイル名は、適宜に編集などの処理を経て、スキャナ１４で読み込んだ文書などのファイル名として、ファイルの保存に用いられる。
【００２５】
ネーミング処理部３６に設けた追加・編集処理部４８を介して、ファイル名「社内報」を編集できる。例えば「社内報」の末尾に「１２月号」を追加すると、「社内報１２月号」が新たなファイル名として生成される。追加や編集は、末尾に文字を追加するものには限らない。例えば登録名が「社内報  月号」の場合、「社内報１２月号」と文字をファイル名の途中に追加すればよい。現用名リスト４４と過去名リスト４５は類似のリストなので、これらのデータは同時に参照できるようにし、登録名リスト４６は種類の異なるリストなので、リスト４４，４５とは例えば別の画面で参照できるようにする。すると、現用名と過去名とのファイル名の区別が重要になり、例えば現用のファイル名をそのまま新たなデータのファイル名とすると、不用意に上書きが起こってしまう。このことを防止するため、現用名リスト４４中のファイル名と、過去名リスト４５中のファイル名とは、ファイル名を色違いで表示したり、フォントなどを変えて表示するのが好ましい。
【００２６】
図４に、現用名リスト４４のファイル名を用いて、ファイルの上書きなどを行う際の処理を示す。例えば検索処理部３８から短縮語として「ミ」が入力され、これに対するファイル名として「見積書」が存在したとする。「見積書」とそれに対するコメントが現用名リスト４４から読み出され、ユーザーがファイル名「見積書」を選択したとする。５０はネーミング処理部に設けた上書き処理部で、この場合、元のファイル「見積書」に新たなデータを追加して登録するのか、上書きするのかをユーザーは選択できる。なお検索はファイル名に対してのみではなく、コメントに対しても可能である。追加の場合、追加の位置をユーザーは選択できる。追加位置としては例えばファイルの先頭やファイルの末尾、あるいはファイルの途中などである。ユーザーはこれ以外に、追加でも上書きでもなく、ファイル名「見積書」の末尾に識別子を付加して、新たなファイル名として用いることを選択できる。この場合例えば、元のファイル名「見積書」に対して識別子{NEW}などを追加し、別のファイル名として用いる。
【００２７】
上書きの場合、新たな文書であることがファイル名から明らかになるように、版数を例えばファイル名の末尾に付けることができる。なお版数の要否は、文書管理装置の設定データで定める。版数を付ける場合、元のファイル「見積書」を上書きすると、ファイル名は「見積書 V2」などとなる。なお版数の用い方として、「見積書 V2」は「見積書」とは別のファイルであるとしても良い。これ以外に、上書き時には、抹消されたファイルを文書データベース２２のアーカイブ領域に保存したり、あるいはファイルサーバ１２へ転送して保存させたりすることができる。さらに上書きに対しては、ファイル内容の変更経過（上書き経過）をログファイル２６に記憶するかどうかを選択でき、この選択がオンの場合、上書きの経歴がログファイル２６に記憶される。なおログファイル２６への記録の要否は、上書き毎に選択するのではなく、文書管理装置の設定データの一部とする。
【００２８】
これらの結果、ファイル名「見積書」に対して、版数が付与されたファイル名「見積書 V2」や、識別子{NEW}が付与されたファイル名「見積書 NEW」が作成される。またこれらのいずれも行わず、単に「見積書」を新たなファイル名として用いることもあ。そしてファイルの上書きの経過を、ログファイルに記憶することができる。上書きにより抹消されたファイルは、アーカイブやファイルサーバなどに保存することができる。これらの処理を通して、現用名リスト４４の内容が変更されると、リスト４４を更新する。
【００２９】
図５に、登録名リストへのファイル名の登録を示す。スキャナから文書を蓄積し、例えば電子掲示板文書とするた場合、文書管理装置の操作パネルからファイル名やコメントを入力するのは不便である。これは操作パネルでの文字入力機能が限られているためである。そこでクライアントのブラウザからＨＴＴＰサーバなどを介して、登録名リストにファイル名を登録できる。図５の場合、「スキャン文書」をファイル名として登録し、同様にしてコメントの登録もでき、登録したファイル名の消去も可能である。
【００３０】
図６に、保存名の編集画面を示す。この画面では現用名リスト４４と過去名リスト４５，あるいは登録名リスト４６を指定し、検索処理部を用いて例えば「ス」を含むファイル名を検索する。その結果、ファイル名「スキャン文書」が表示されているものとする。また現用のファイル名と過去に用いられたファイル名は、色やフォントなどを変えて表示する。図６の画面で「前へ」，「一覧」，「次へ」などのボタンをクリックすると、５０音順でその前のファイル名を参照したり、記憶しているファイル名の一覧を表示させたり、次のファイル名を表示させたりすることができる。次に表示されたファイル名「スキャン文書」に対して、適宜の追加や編集などを行い、スキャンした文書にファイル名として付与して、掲示板文書として保存することができる。
【００３１】
実施例の文書管理装置の使用形態の例を示す。例えばスキャナで文書をスキャンし、電子掲示板に掲示するとする。ファイル名やコメントなどを文書管理装置の操作パネルから入力し、ファイルとして保存して、電子掲示板に掲示する。この時、登録された掲示板文書にブラウザからアクセスすると、文書へのリンクを表示した画面に、ファイル名やコメントなどが文書のリンクと共に表示される。またファイル名やコメントは、文書にリンクするためのアイコンと並べて表示され、視覚的もに分かりやすくしてある。なお、ファイル名やコメントを直接画面に表示せず、ハイパーリンクを介して表示するようにしても良い。
【００３２】
ここでスキャン時に、操作パネルからファイル名やコメントを完全に入力するのは不便である。ブラウザから入力する場合でも、ファイル名を１から考えるよりも、過去に用いられたファイル名などを参照する方が便利である。そこで、現在も文書管理装置に保存されているファイルのファイル名や、過去に保存したことがあるファイルのファイル名をリスト４４，４５に記憶し、これらを操作パネルやブラウザなどに表示する（図６）。そして表示されたファイル名やコメントをそのまま、あるいは適宜に修正して使用すれば、ファイル名やコメントの入力が容易になる。
【００３３】
また文書のスキャン前などに、付与しようと思うファイル名やコメントなどをブラウザから登録名リストに登録しておく。そして掲示板文書などをスキャンし、登録名リストを文書管理装置の操作パネルなどで開いて、登録しておいたファイル名を選択し、必要であればこれに修正を加えて、スキャンした文書を保存する。
【００３４】
現在保存中のファイル名を参照して、ファイル名を付与する場合、上書きに関する管理が必要になる。同じファイル名を用いたいが、上書きするつもりがない場合、識別子の付与を選択すると、{NEW}などの適宜の識別子が付与され、保存中のファイルとは別のファイルとして保存される。また誤って上書きを行わないように、現用名リストのファイル名と、過去名リストのファイル名とは色やフォントを違えて表示される。さらに上書きか追加かを選択でき、例えば既に保存済みの文書に、数ページの新たな文書を追加して保存したい場合、追加となる。この場合、新たな数ページを追加する位置を適宜に指定することができる。また上書きを行うと、版数をファイル名に付与する。そして上書きの履歴はログファイルに記憶され、上書きによって抹消された文書は、アーカイブやファイルサーバなどに保存される。
【００３５】
このようにして掲示板登録された文書を閲覧する場合、ブラウザからＨＴＴＰサーバにアクセスすると、掲示板文書の一覧などが表示され、文書にアクセスするためのリンク用のボタンなどの周囲に位置に、ファイル名やコメントなどが表示される。そこでファイル名やコメントなどを参照しながら、掲示板文書にアクセスできて便利である。
【図面の簡単な説明】
【図１】実施例の文書管理装置の構成を示すブロック図
【図２】実施例の文書管理装置でのファイル名データベースの構成を示す図
【図３】実施例の文書管理装置での、ファイル名の追加編集時の処理を模式的に示す図
【図４】実施例の文書管理装置での、ファイルの上書き時の処理を模式的に示す図
【図５】実施例の文書管理装置での、ファイル名の登録画面を模式的に示す図
【図６】実施例の文書管理装置での、ファイル名の編集画面を模式的に示す図
【符号の説明】
２        文書管理装置
４        ＬＡＮ
６        クライアント
８        メールサーバ
１０      ルータ
１２      ファイルサーバ
１４      スキャナ
１６      プリンタ
１８      Ｇ３ファクシミリ処理部
２０      インターネットファクシミリ処理部
２２      文書データベース
２４      ファイル名データベース
２６      ログファイル
２８      ＨＴＴＰサーバ
３０      電子掲示板処理部
３２      ワークフロー処理部
３４      電子回覧処理部
３６      ネーミング処理部
３８      検索処理部
４０      バージョン管理部
４２      操作パネル
４４      現用名リスト
４５      過去名リスト
４６      登録名リスト
４８      追加・編集処理部
５０      上書き処理部
【図１】
2004192499.tif 000003
【図２】
2004192499.tif 000004
【図３】
2004192499.tif 000005
【図４】
2004192499.tif 000006
【図５】
2004192499.tif 000007
【図６】
2004192499.tif 000008